(57)【要約】【課題】引き出しなどの収納箱の仕切り部材において、無駄が生じ難く、任意の幅や奥行きの壁面間を仕切りつつ、仕切りがずれないようにする。【解決手段】切断による長さ調整が可能な仕切り板２０と、その仕切り板の端部に被せられて摩擦係合する摩擦係合部材３０とを用い、仕切り板２０の長さ調整（延長）や、端材同士の継ぎ足しを可能にする。さらに、仕切り板２０には中央に平坦面２０２を形成し、そこから隆起した突起２０５でラック２０３を形成しておく。摩擦係合部材３０は、断面が逆Ｕ字状に形成され、内側面３０４にラック３０５が形成される。したがって、図５（ｃ）のようにラック３０５，２０３の噛み合いによって、横ずれしないロック状態となり、図５（ａ）のように摩擦係合部材３０を幅方向にずらし（離し、浮き上がらせ）てロック解除状態とし、図５（ｂ）のようにスライドが可能になる。【選択図】図５
2015208368.tif 000002
【特許請求の範囲】
【請求項１】
帯状に形成されて、切断による長さ調整が可能な１または複数枚の仕切り板と、
少なくとも１枚の前記仕切り板の端部に被せられ、該仕切り板に摩擦係合し、該仕切り板の長さ調整または該仕切り板同士の連結のために用いられる摩擦係合部材とを含み、
前記仕切り板は、その前記帯の少なくとも一方の表面に、前記帯の長手方向に延びる平坦面が形成されるとともに、その平坦面から前記帯の幅方向の端部寄りには、前記平坦面から隆起した突起が前記帯の長手方向に規則的に繰り返し形成されて成る第１のラックが形成され、
前記摩擦係合部材は、前記仕切り板の長手方向とは直交する断面が逆Ｕ字または逆Ｊ字状に形成され、前記逆Ｕ字における少なくとも一方の片または逆Ｊ字における長片の内側面において、遊端側には、前記第１のラックに噛合することができる第２のラックが形成されることを特徴とする収納箱の仕切り部材。
【請求項２】
前記仕切り板は、前記帯の幅方向の略中央部には前記平坦面が形成され、前記幅方向の一端寄りに前記第１のラックが形成され、前記幅方向の他端寄りには前記帯の長手方向に延びる凸条または凹溝が形成され、
前記摩擦係合部材は、前記仕切り板の厚み方向に弾発力を発揮し、前記内側面の基端側には前記凸条または凹溝に対応する凹溝または突部が形成されていることを特徴とする請求項１記載の収納箱の仕切り部材。
【請求項３】
前記摩擦係合部材は、前記逆Ｕ字状に形成され、その逆Ｕ字の一方の片の内側面に前記第２のラックおよび突部が形成され、他方の片の内側面は平坦面であることを特徴とする請求項２記載の収納箱の仕切り部材。
【請求項４】
前記摩擦係合部材における第２のラックと突部との間隔は、前記仕切り板における平坦面から幅方向の他端までの距離よりも僅かに長く形成されていることを特徴とする請求項３記載の収納箱の仕切り部材。
【請求項５】
前記摩擦係合部材において、前記仕切り板の長手方向に対する端面の少なくとも一方には、粗面処理が施されている、或いは密着性の高いラバーが貼り付けられていることを特徴とする請求項１〜４の何れか１項に記載の収納箱の仕切り部材。
【請求項６】
前記仕切り板には、長手方向の予め定める間隔毎に、幅方向に延びる溝が形成されていることを特徴とする請求項１〜５の何れか１項に記載の収納箱の仕切り部材。
【請求項７】
前記仕切り板の厚み方向に見た形状がＴ字状の第１の分岐部材をさらに備え、
該第１の分岐部材は、前記Ｔ字の横方向の部分および縦方向の部分の軸直角断面が前記逆Ｕ字状に形成され、前記逆Ｕ字における少なくとも一方の片の内側面には、前記第１のラックに噛合することができる第３のラックが形成されており、
該第１の分岐部材は、前記仕切り板の途中に嵌め込まれることで、前記途中から別の仕切り板を分岐支持することを特徴とする請求項１〜６の何れか１項に記載の収納箱の仕切り部材。
【請求項８】
前記仕切り板の厚み方向に見た形状が十字状の第２の分岐部材をさらに備え、
該第２の分岐部材は、前記十字の横方向の部分および縦方向の部分の軸直角断面が前記逆Ｕ字状に形成され、前記逆Ｕ字における少なくとも一方の片の内側面には、前記第１のラックに噛合することができる第４のラックが形成されており、
該第２の分岐部材は、前記仕切り板の途中に嵌め込まれて前記途中から相互に離反する２方向に、別の仕切り板を分岐支持することを特徴とする請求項１〜７の何れか１項に記載の収納箱の仕切り部材。
【請求項９】
収納箱に収納された状態で、前記第１および／または第２の分岐部材は、収納箱の底面に達するまで、前記仕切り板の分岐部分を覆っており、その覆っている部分が、一方の仕切り板から他方の仕切り板にかけて円弧状の曲線を描いて形成され、前記覆っている部分の曲線は、下方側の曲率が上方側に比べて大きく形成されていることを特徴とする請求項７または８記載の収納箱の仕切り部材。
【請求項１０】
前記請求項１〜９の何れか１項に記載の仕切り部材を用いて、仕切り空間が形成されることを特徴とする収納箱。
【請求項１１】
引き出しであることを特徴とする請求項１０記載の収納箱。
【発明の詳細な説明】
【技術分野】
【０００１】
本発明は、机の引き出しなどの収納箱に用いられる仕切り部材およびそれを備える収納箱に関する。
【背景技術】
【０００２】
机の引き出しなどの収納箱に用いられ、収納する物品の形状などに対応した仕切りを行う仕切り部材が広く用いられている。その仕切り部材の典型的な従来技術では、所定間隔でスリットなどの切れ目が形成された仕切り板を用い、その仕切り板をスリットの位置で所望の長さに切断して、縦横に組合わせ（嵌合わせ）ることで、任意の大きさの仕切り空間が形成されている。
【０００３】
特許文献１では、上記のような仕切り板に加えて、継手体を用いて、枡目状の仕切り部材を実現している。一方、特許文献２では、前記切れ目による制限を無くし、仕切り板の取付き位置を細かく調整可能にしている。特許文献２は、引き出しの側壁や仕切り板に取付くＴ字やＬ字状の連結部材を用い、仕切り板同士をＴ字やＬ字に連結したり、仕切り板を前記側壁にＴ字に取付けることで、規定の長さの仕切り板や前記連結部材などの同一形状の部材を使用して、引き出しの内部を適宜仕切れるようにした引き出し仕切り構造である。また、特許文献３では、十字の連結部材も用いている。
【先行技術文献】
【特許文献】
【０００４】
【特許文献１】特開平１１−２０８６７２号公報
【特許文献２】特許第３５８４０２０号公報
【特許文献３】特開２００３−１１９７７号公報
【発明の概要】
【発明が解決しようとする課題】
【０００５】
特許文献２や特許文献３は、仕切り板の取付き位置が、フリーストップで前記のスリットなどに比べて細かく調整できるものの、規定の長さの仕切り板を使用するので、引き出しなどの幅や奥行きに合わせて仕切り板を組合わせなくてはならず、自由に切断して長さを決められる特許文献１に比べて、その点では利便性に劣る。また、フリーストップであるので、引き出しを開閉した際に、文房具などの内容物から加わる衝撃で、仕切りがずれたり、連結が外れて仕切り板が倒れたりするという問題もある。
【０００６】
一方、特許文献１のように、切断して使用される仕切り板は、一旦切断すると、より短い箇所にしか転用できず、仕切り板の組み替えによって無駄が生じる可能性がある。また、継手体によって仕切り板の長さが実質延長されるとしても、その取付き位置を細かく調整することは難しい。
【０００７】
本発明の目的は、切断によって任意の長さに調整可能な仕切り板を使用しても、無駄が生じ難く、また仕切りのずれも生じ難い収納箱の仕切り部材およびそれを備える収納箱を提供することである。
【課題を解決するための手段】
【０００８】
本発明の収納箱の仕切り部材は、机の引き出しなどの収納箱に用いられ、収納する物品の形状などに合わせた仕切り空間を形成する仕切り部材において、仕切り板は、帯状に形成されて、切断による長さ調整可能であり、そのような仕切り板を１または複数枚と、その仕切り板の端部に被せられる摩擦係合部材の少なくとも１枚とを用いて、前記仕切り空間を形成する。
【０００９】
したがって、前記摩擦係合部材が仕切り板の一端または両端に被せられると、仕切り板の長さ調整を行うことができ、またその摩擦係合部材を利用して仕切り板同士を連結することもできる。これによって、単独の仕切り板では届かない幅や奥行きの壁面間を仕切ることができ、また一旦切断した仕切り板も継ぎ足して使用することができ、切断による長さ調整可能な仕切り板を使用しても、無駄を生じ難くすることができる。
【００１０】
また、帯状の前記仕切り板には、その帯の少なくとも一方の表面に、帯の長手方向に延びる平坦面を形成するとともに、その平坦面から前記帯の幅方向の端部寄りに、前記平坦面から隆起した突起が前記帯の長手方向に規則的に繰り返し形成されて成る第１のラックを形成しておく。一方、前記摩擦係合部材は、前記仕切り板の長手方向とは直交する断面を逆Ｕ字または逆Ｊ字状に形成し、その逆Ｕ字における少なくとも一方の片または逆Ｊ字における長片の内側面において、遊端側に、前記第１のラックに噛合することができる第２のラックを形成しておく。
【００１１】
したがって、前記第１のラックと第２のラックとが噛合している状態では、前記摩擦係合部材と仕切り板とは強い保持力を発揮し、該摩擦係合部材の前記仕切り板の長手方向へのずれが阻止されているロック状態となる。これによって、収納箱の一例である、たとえば引き出しを開けた際の衝撃などで、仕切り板がずれてしまうようなことを防止することができる。
【００１２】
そして、前記摩擦係合部材を前記仕切り板の幅方向にずらす（離す、浮き上がらせる）ことで、前記第１のラックと第２のラックとの係合状態が解除されてロック解除状態となり、前記第２のラックの突起が前記平坦面上を滑動可能となって前記摩擦係合部材の前記帯の長手方向への変位（スライド）が可能になる。変位後、前記摩擦係合部材を前記仕切り板の前述とは反対の幅方向にずらす（近付ける、押し下げる）ことで、前記第１のラックと第２のラックとを再び噛合させて、ロック状態とし、摩擦係合部材の長手方向へのずれを阻止することができる。
【００１３】
また、本発明の収納箱の仕切り部材では、前記摩擦係合部材は、前記逆Ｕ字または逆Ｊ字の両片が、仕切り板の厚み方向に弾発力を発揮し、該両片が前記仕切り板に摩擦係合している。そして、仕切り板において、前記平坦面に対して第１のラックの反対側に設けた凸条または凹溝と、摩擦係合部材に設けた凹溝または突部とが嵌り合うことで、使用者の操作が無い状態では、摩擦係合部材が仕切り板の幅方向に不所望にずれて（離れて、浮き上がって）、ロックが解除されてしまうことを防止することができる。
【００１４】
ロックを解除するには、使用者が操作して、摩擦係合部材の弾発力に抗して、前記逆Ｕ字における少なくとも一方の片または逆Ｊ字における長片を撓ませ、前記凸条または突部を凹溝から脱出させることで、摩擦係合部材を仕切り板の幅方向にずらす（離す、浮き上がらせる）ことができる。
【００１５】
さらにまた、本発明の収納箱の仕切り部材では、前記摩擦係合部材を前記逆Ｕ字状に形成し、その逆Ｕ字の一方の片の内側面にだけ第２のラックおよび突部を形成し、他方の片の内側面は平坦面とするので、摩擦係合部材の一方の片を撓ませるだけで、該摩擦係合部材側の突部を、仕切り部材側の凹溝から脱出させることができる。
【００１６】
したがって、摩擦係合部材を仕切り板の幅方向にずらす（離す、浮き上がらせる）ロックの解除を容易に行うことができる。
【００１７】
また、本発明の収納箱の仕切り部材では、前記摩擦係合部材における第２のラックと突部との間隔を、前記仕切り板における平坦面から幅方向の他端までの距離よりも僅かに長く形成し、摩擦係合部材を仕切り板の幅方向にずらして（離して、浮き上がらせて）、長手方向に移動（スライド）させるにあたって、摩擦係合部材における第２のラックと突部との間に、仕切り板における平坦面から幅方向の他端までの部分を挟み込んでいる。すなわち、仕切り板における平坦面から幅方向の他端までの部分を、摩擦係合部材は、僅かな隙間を開けて、両側から挟むことになる。
【００１８】
したがって、前記移動（スライド動作）をスムーズに（しゃくり無く）行わせることができ、安定性を向上することができる。なお、前記突部を凸条とすることで、該凸条と第２のラックの複数の突起とで、略線で、前記仕切り板における平坦面から幅方向の他端までの部分を挟むことができ、前記移動（スライド動作）をよりスムーズに行わせることができる。
【００１９】
さらにまた、本発明の収納箱の仕切り部材では、前記摩擦係合部材の端面に、凹凸を形成したり、短い起毛を形成したりして、粗面処理を施しておく、或いは密着性の高いラバーを貼り付けておくので、前記引き出しの壁面などに対して、滑り止めの機能を発揮させることができる。
【００２０】
また、本発明の収納箱の仕切り部材では、前記仕切り板には、長手方向の予め定める間隔毎に、幅方向に延びる溝を形成しておくので、その溝の部分が薄肉の脆弱部となり、使用者はこの溝の部分で、容易に仕切り板を折り曲げ、切断することができる。そして、そのように予め定める間隔毎の溝で切断しても、上記のように任意の長さに調整可能な摩擦係合部材を使用して、壁面間を隙間無く仕切ることができる。
【００２１】
さらにまた、本発明の収納箱の仕切り部材では、Ｔ字状の第１の分岐部材を用いるので、収納箱内で仕切り板を縦横に組合わせられるようになり、所望とする仕切り空間を形成し易くなる。
【００２２】
また、本発明の収納箱の仕切り部材では、十字状の第２の分岐部材を用いることで、収納箱内で仕切り板を縦横に組合わせられるようになり、所望とする仕切り空間を形成し易くなる。
【００２３】
さらにまた、本発明の収納箱の仕切り部材では、前記Ｔ字状の第１の分岐部材および／または十字状の第２の分岐部材における仕切り板の分岐（交差）部分を、Ｒを付けて曲線に形成しておき、その分岐（交差）部分の下側、すなわち収納箱の底に近い部分のＲを、上側の部分より緩やかに形成しておく。それゆえ、引き出しに収納されている物品、特にペンなどの長手板状や棒状の文房具を、前記分岐（交差）部分に押し当てると、迫り上がってゆくので、前記物品の取り出しが容易になる。
【００２４】
また、本発明の収納箱は、前記の仕切り部材を用いて仕切り空間を形成するので、無駄が生じ難く、任意の幅や奥行きの壁面間を仕切ることができる収納箱を実現することができる。
【００２５】
さらにまた、本発明の収納箱は、引き出しであるので、無駄が生じ難く、任意の幅や奥行きの壁面間を仕切ることができる引き出しを実現することができる。
【発明の効果】
【００２６】
本発明の収納箱の仕切り部材およびそれを備える収納箱は、以上のように、帯状に形成されて、切断による長さ調整可能な仕切り板を１または複数枚と、その仕切り板の端部に被せられる摩擦係合部材の少なくとも１枚とを用いて、仕切り空間を形成するので、前記摩擦係合部材を仕切り板の一端または両端に被せると仕切り板の長さ調整を行うことができ、またその摩擦係合部材を利用して仕切り板同士を連結することもできる。
【００２７】
それゆえ、単独の仕切り板では届かない幅や奥行きの壁面間を仕切ることができ、また一旦切断した仕切り板も継ぎ足して使用することができ、切断による長さ調整可能な仕切り板を使用しても、無駄を生じ難くすることができる。
【００２８】
さらに、仕切り板に第１のラックを、摩擦係合部材に第２のラックを形成し、それらが噛合しているロック状態では強い保持力を発揮し、摩擦係合部材を仕切り板の幅方向にずらす（離す、浮き上がらせる）ことで、係合状態が解除されてロック解除状態となり、摩擦係合部材の変位（スライド）が可能になるので、たとえば引き出しを開けた際の衝撃などで、仕切り板がずれてしまうようなことを防止することができる。
【図面の簡単な説明】
【００２９】
【図１】本発明の実施の一形態に係る収納箱の斜視図である。
【図２】図１で示す収納箱における仕切り部材を構成する仕切り板の斜視図である。
【図３】図１で示す収納箱における仕切り部材を構成する仕切り板の六面図である。
【図４】図１で示す収納箱における仕切り部材を構成する摩擦係合部材の六面図である。
【図５】前記仕切り板に位置調整して摩擦係合部材を組み付ける様子を示す斜視図である。
【図６】図１で示す収納箱における仕切り部材を構成するＴ字分岐部材の仕切り板への組み付け部分を拡大して示す斜視図である。
【図７】前記Ｔ字分岐部材を仕切り板の中心線で分割したＴ字の脚を有する側の図である。
【図８】前記Ｔ字分岐部材の六面図である。
【図９】前記Ｔ字分岐部材をずらす際の斜視図である。
【図１０】図１で示す収納箱における仕切り部材を構成する十字分岐部材の斜視図である。
【図１１】前記十字分岐部材の六面図である。
【発明を実施するための形態】
【００３０】
図１は、本発明の実施の一形態に係る収納箱１の斜視図である。この収納箱１は、たとえば、アタッシュケースのように図示しない跳ね上げ自在の蓋が備えられて構成され、或いはカメラバッグのように複数段積層されて使用されてもよい。もしくは、この収納箱１は、図示しない把手やガイドレールが備えられて、机などの引き出しとして使用されてもよい。
【００３１】
図１の例では、前記引き出しなどの収納箱本体１０に、仕切り部材として、４枚の横の仕切り板１１〜１４および８枚の縦の仕切り板２１〜２８（総称するときは以下参照符号２０で示す）と、４つの摩擦係合部材３１〜３４（総称するときは以下参照符号３０で示す）と、８つのＴ字分岐部材４１〜４８（総称するときは以下参照符号４０で示す）と、２つの十字分岐部材５１，５２（総称するときは以下参照符号５０で示す）とが用いられている。しかしながら、収納箱１には、収納箱本体１０に収納すべき物品に応じた所望とする仕切り空間を形成するために、各部材は必要な数だけ用いられればよく、本発明では、少なくとも１枚の仕切り板２０と、少なくとも１つの摩擦係合部材３０とが、仕切り部材を構成する最小限の構成として、収納箱本体１０に前記仕切り空間を形成する。
【００３２】
図２は前記仕切り板２０の斜視図であり、図３は六面図である。図３では、（ａ）が平面図、（ｂ）が正面図、（ｃ）が底面図、（ｄ）が左側面図、（ｅ）が右側面図である。先ず、帯状に形成されるこの仕切り板２０には、長手方向の予め定める間隔毎に、幅方向に延びる溝２０１が形成されている。したがって、前記溝２０１の部分が薄肉の脆弱部となり、使用者はこの溝２０１の部分で、容易に仕切り板を折り曲げ、切断することができる。特に、該仕切り板２０が樹脂成形品から成る場合に、折り曲げて切断し易い。こうして、該仕切り板２０は、切断による長さ調整が可能となっている。なお、図２および図３の例では、溝２０１は、仕切り板２０の両面に形成されているが、深さを深くして、一方の面のみに形成されてもよく、或いは一方の面と他方の面とで交互に形成されてもよい。
【００３３】
また、前記仕切り板２０の少なくとも一方の面（図２では両方の面）には、長手方向に延びる平坦面２０２、ラック２０３および溝２０４が形成されている。該仕切り板２０の帯の幅方向の略中央部には平坦面２０２が形成され、幅方向の一端寄り、すなわち該仕切り板２０が収納箱本体１０に取付けられた（設置された）図１で示すような状態で、下方となる側にはラック２０３が形成され、幅方向の他端寄り、すなわち上方となる側には溝２０４が形成される。ラック２０３は、平坦面２０２から隆起した突起２０５が帯の長手方向に規則的に繰り返し形成されることで構成される。この仕切り板２０において、幅方向の両端部２０６，２０７および平坦面２０２と溝２０４との間の部分２０８は、突起２０５の頂部と同じ高さに形成される。
【００３４】
図４は、前記摩擦係合部材３０の六面図である。図４では、（ａ）が平面図、（ｂ）が正面図、（ｃ）が底面図、（ｄ）が左側面図、（ｅ）が右側面図、（ｆ）が背面図である。（ｂ）の正面図と（ｆ）の背面図とは同一に表れ、（ｄ）の左側面図と（ｅ）の右側面図とは対称に表れる。この摩擦係合部材３０は、仕切り板２０の長手方向とは直交する断面が逆Ｕ字状で、屈曲部３０１から２つの片３０２，３０３が延び、その片３０２，３０３の先端側になるに連れて相互に近接する方向に弾発力を発揮するように、樹脂成形品の一体成形品などで形成されている。これによって、該摩擦係合部材３０は、前記２つの片３０２，３０３が挟み込む（相互に近接しようとする）力で、前記仕切り板２０への摩擦係合力を簡単に発揮することができるようになっている。
【００３５】
また、この摩擦係合部材３０には、一方の片３０２において、前記逆Ｕ字の内側面３０４に、前記仕切り板２０の長手方向に連続して、前記ラック２０３に対応する（噛み合う）ラック３０５が形成されている。このラック３０５は、平坦な内側面３０４から隆起して形成される。これによって、前記２つの片３０２，３０３の摩擦係合力に加えて、ラック３０５，２０３の噛み合いによって、該摩擦係合部材３０と仕切り板２０との長手方向に対する相対的なずれを、より確実に抑えることができる。
【００３６】
さらにまた、前記逆Ｕ字の一方の片３０２の内側面３０４には、前記仕切り板２０の溝２０４に嵌り込む凸条３０６が形成されている。この凸条３０６も、平坦な内側面３０４から隆起して形成される。そして、摩擦係合部材３０におけるラック３０５と凸条３０６との間隔Ｗ１は、前記仕切り板における平坦面から幅方向の他端までの距離Ｗ２よりも僅かに長く形成される。
【００３７】
図５は、仕切り板２０に位置調整して摩擦係合部材３０を組み付ける様子を示す斜視図である。摩擦係合部材３０を仕切り板２０に組み付けた状態では、上述のように、２つの片３０２，３０３の摩擦係合力に加えて、ラック３０５，２０３の噛み合いによって、摩擦係合部材３０の長手方向に対するずれが抑えられており、また凸条３０６の溝２０４への嵌り込みによって、摩擦係合部材３０の幅方向に対するずれも抑えられている。こうして、摩擦係合部材３０は、仕切り板２０に強い保持力を発揮するロック状態となって、収納箱１の一例である、たとえば引き出しを開けた際の衝撃などで、該摩擦係合部材３０が仕切り板２０からずれてしまうようなことを防止することができる。
【００３８】
そのロック状態から、図５（ａ）で示すように、使用者が、ラック３０５および凸条３０６が形成されている側の片３０２を、参照符号Ｆ１で示すように僅かに捲り上げ、凸条３０６を溝２０４から抜け出させることで、参照符号Ｆ２で示すように、摩擦係合部材３０を仕切り板２０の幅方向にずらし（離し、浮き上がらせ）、ロック解除状態にすることができる。
【００３９】
そのロック解除状態では、ラック３０５の突起が平坦面２０２上を滑動可能となって、図５（ｂ）で示すように、摩擦係合部材３０の参照符号Ｆ３で示す帯の長手方向への変位（スライド）が可能になる。変位後、図５（ｃ）で示すように、摩擦係合部材３０を参照符号Ｆ４で示す仕切り板２０の前述とは反対の幅方向にずらす（近付ける、押し下げる）と、凸条３０６が端部２０６を乗り越えることで、片３０２が僅かに浮き上がりつつ、凸条３０６が溝２０４に嵌り込むと、ラック３０５，２０３を再び噛合させて、ロック状態とし、摩擦係合部材３０の長手方向へのずれを阻止することができる。
【００４０】
本発明では、このように構成される仕切り板２０の少なくとも１枚と、摩擦係合部材３０の少なくとも１つを最小限の構成として用いることで、予め定める間隔毎の溝２０１で切断して長さ調整可能な仕切り部材２０を使用しても、任意の長さに微調整可能な摩擦係合部材３０を使用して、図１の仕切り板１１，１２；１３，１４および摩擦係合部材３１〜３４で示すように、収納箱本体１０の内壁面１０１間を隙間無く仕切ることができる。詳しくは、図１では、仕切り板１１，１２は、図２および図３で示すような切断していない新品の状態を示し、その一端に摩擦係合部材３１，３２が取付けられている。これに対して、仕切り板１３，１４は、新品の状態から、一旦適宜の長さに切断されたものが、摩擦係合部材３４で継ぎ足されるとともに、一端に摩擦係合部材３３が取付けられて、内壁面１０１の間隔に合わせられている。こうして、一旦切断してしまって端材となった仕切り板１３，１４同士を、摩擦係合部材３４によって継ぎ足して使用することができ、切断による長さ調整可能な仕切り板２０を使用しても、無駄を生じ難くすることができる。
【００４１】
そして、図５（ａ）で示すように、摩擦係合部材３０を仕切り板２０の幅方向にずらして（離して、浮き上がらせて）、図５（ｂ）で示すように、長手方向に移動（スライド）させるにあたって、摩擦係合部材３０におけるラック３０５と凸条３０６との間に、仕切り板２０における平坦面２０２から幅方向の他端までの部分を挟み込んでいる。すなわち、仕切り板２０における平坦面２０２から幅方向の他端までの部分を、摩擦係合部材３０は、僅かな隙間Ｗ１−Ｗ２を開けて、両側から挟むことになる。これによって、前記移動（スライド動作）をスムーズに（しゃくり無く）行わせることができ、安定性を向上することができる。なお、前記凸条３０６は、半球状の突起などの他の突部形状で形成さてもよいが、凸条３０６とすることでラック３０５の複数の突起とで、略線で、仕切り板２０における平坦面２０２から幅方向の他端までの部分（Ｗ２の部分）を挟むことができ、前記移動（スライド動作）をよりスムーズに行わせることができる。
【００４２】
さらに、仕切り板２０には、その帯の両表面に、平坦面２０２およびラック２０３が形成されているのに対して、摩擦係合部材３０は、逆Ｕ字状に形成され、その逆Ｕ字の一方の片３０２の内側面３０４にだけラック３０５および凸条３０６が形成され、他方の片３０３の内側面は平坦面である。したがって、使用者は、ラック３０５および凸条３０６が形成されている側の片３０２を僅かに捲り上げで、ロック解除を行うことができるとともに、仕切り板２０は表裏同じであるので、該仕切り板のいずれの端部でも、長さ調整や継ぎ足しを同じ条件で行うことができ、使い勝手が良くなる。
【００４３】
また、摩擦係合部材３０において、仕切り板２０の長手方向に対する端面の少なくとも一方に、凹凸を形成したり、短い起毛を形成したりして、粗面処理が施されており、或いは密着性の高いラバーが貼り付けられていることが好ましい。そのような例を、図５に示す。図５の例は、摩擦係合部材３０の端面に起毛３０９が形成されている。このように構成することで、引き出しの壁面などの収納箱本体１０の内壁面１０１に対して、滑り止めの機能を発揮させることができ、参照符号Ｆ５で示す仕切り板２０の厚み方向のずれや、倒れに対しても強くすることができる。
【００４４】
上述の例では、ロック状態から、不所望に、図５（ａ）で示すように、摩擦係合部材３０が仕切り板２０の幅方向にずれて（離れて、浮き上がって）、ロック解除状態とならないように、仕切り板２０側に溝２０４が、摩擦係合部材３０側に凸条３０６が形成されている。しかしながら、これらの溝２０４および凸条３０６は、相互に入れ替えて形成されてもよい。
【００４５】
また、摩擦係合部材３０は、逆Ｊ字状に形成されてもよい。その場合、勿論、ラック３０５や凸条３０６は、逆Ｊ字の長片に形成される。そして、摩擦係合部材３０が逆Ｕ字状に形成される場合、その逆Ｕ字の一方の片３０２の内側面３０４にだけラック３０５および凸条３０６を形成し、他方の片３０３の内側面３０４は平坦面とすることで、摩擦係合部材３０の一方の片３０２を撓ませるだけで、該摩擦係合部材側３０の凸条３０６を、仕切り部材２０側の溝２０４から脱出させることができる。したがって、摩擦係合部材３０を仕切り板２０の幅方向にずらす（離す、浮き上がらせる）ロックの解除を容易に行うことができる。上述のように、凸条３０６は、突起などの他の突部形状であってもよいが、凸条３０６の方が、溝２０４に嵌り込んだ状態で、ガタ付きが少なく、好適である。
【００４６】
そして、本実施形態では、図１の横に一直線の仕切り板１１，１２；１３，１４だけでなく、直交する縦の仕切り板２１〜２８をさらに設けることで、収納箱本体１０における仕切り空間のバリエーションを増加している。そして、その直交する縦の仕切り板２１〜２８の結合を可能にするために、Ｔ字分岐部材４０および十字分岐部材５０が設けられている。
【００４７】
図６はＴ字分岐部材４０を仕切り板２０に組み付ける様子を示す斜視図であり、図７はＴ字分岐部材４０を仕切り板２０の中心線で分割したＴ字の脚を有する側の図であり、図８はＴ字分岐部材４０の六面図である。図７では、（ａ）が平面図、（ｂ）が背面図、（ｃ）が斜視図である。図８では、（ａ）が平面図、（ｂ）が正面図、（ｃ）が底面図、（ｄ）が左側面図、（ｅ）が右側面図、（ｆ）が背面図である。
【００４８】
このＴ字分岐部材４０は、前記仕切り板２０の厚み方向に見た（上方から見た）形状が、図６や図８（ａ）で示すように、Ｔ字状に形成される。図１の例では、Ｔ字分岐部材４１，４２は、仕切り板１１の途中に嵌め込まれて、途中から別の仕切り板２４，２２を、それぞれ分岐支持している。同様に、Ｔ字分岐部材４３，４４は、仕切り板１３の途中に嵌め込まれて、別の仕切り板２３，２５を、それぞれ分岐支持している。また、Ｔ字分岐部材４５，４６，４７，４８は、仕切り板１２の途中に嵌め込まれて、別の仕切り板２７，２５，２８，２６を、それぞれ分岐支持している。
【００４９】
このＴ字分岐部材４０は、Ｔ字の横方向に延びる部分４０１および縦方向に延びる部分４０２における断面は、前記摩擦係合部材３０と同様に、逆Ｕ字状に形成される。さらに、前記逆Ｕ字の一方の片４０３，４０４側の内側面には、前記仕切り板２０のラック２０３に対応して、長手方向に連続して、ラック４０５，４０６が形成される。したがって、図１の例では、ラック４０５，２０３の噛み合いによって、Ｔ字の横方向に延びることになる仕切り板１１；１３；１２に対して、Ｔ字の縦方向に延びることになる別の仕切り板２４，２２；２３，２５；２７，２５，２８，２６のずれを、より確実に抑えることができるようになっている。
【００５０】
また、前記逆Ｕ字の一方の片４０３，４０４側の内側面には、前記仕切り板２０の溝２０４に嵌り込む凸条４０７，４０８が形成されている。したがって、この凸条４０７と溝２０４とによって、仕切り板２０上をＴ字分岐部材４０が案内され、安定して（しゃくり無く）摺動を行わせることができるようになっている。凸条４０７，４０８も、突起などの他の突部形状で形成されてもよい。
【００５１】
図９はこのＴ字分岐部材４０をずらす際の斜視図であり、図６はＴ字分岐部材４０の仕切り板２０への組み付け部分を拡大して示す斜視図である。Ｔ字の横方向に延びる部分４０１において、Ｔ字の脚、すなわち縦方向に延びる部分４０２が分岐する一方の片４０３の内側面には、ラック４０５および凸条４０７が形成される。したがって、摩擦係合部材３０と同様に、図６（ａ）および図９（ａ）で示すように、該Ｔ字分岐部材４０（４４，４６）が仕切り板２０（１３，１２）に組付けられた状態では、ロック状態となり、参照符号Ｆ０で示す長手方向のずれが抑えられている。
【００５２】
そして、使用者が、図６（ａ）において、参照符号Ｆ１で示すように、一方の片４０３、すなわち縦方向に延びる部分４０２を僅かに捲り上げ、凸条４０７を溝２０４から抜け出させることで、図６（ａ）および図９（ａ）から図６（ｂ）および図９（ｂ）で示すように、Ｔ字分岐部材４０（４４，４６）を参照符号Ｆ２で示す仕切り板２０（１３，１２）の幅方向にずらし（離し、浮き上がらせ）、ロック解除状態にすることができる。
【００５３】
なお、図９に例示するように、縦方向に延びる部分４０２に他の分岐する仕切り板２５が連結されており、かつその仕切り板２５の両側に、Ｔ字分岐部材４４，４６が設けられていたり、後述の十字分岐部材５０が設けられていたりして、該縦方向に延びる部分４０２が設けられている一方の片４０３を捲り上げることが困難である場合は、仕切り板１３側を、図９（ａ）において、参照符号Ｆ１で示すように倒すことで、ロックを解除することができる。
【００５４】
ここで、ラック４０５および凸条４０７を、Ｔ字の横方向に延びる部分４０１において、縦方向に延びる部分４０２が分岐していない他方の片４０９の内側面に形成することで、その他方の片４０９を捲り上げることで、ロック解除状態とすることができる。しかしながら、そうするとロックの保持力が弱くなるので、ラック４０５および凸条４０７は、Ｔ字の横方向に延びる部分４０１において、縦方向に延びる部分４０２が分岐している一方の片４０３の内側面に形成されることが好ましい。
【００５５】
Ｔ字分岐部材４０（４４，４６）のロック解除状態では、ラック４０５の突起が平坦面２０２上を滑動可能となって、図９（ｂ）から図９（ｃ）で示すように、参照符号Ｆ３で示す帯の長手方向への変位（スライド）が可能になる。変位後、Ｔ字分岐部材４０（４４，４６）を参照符号Ｆ２とは反対方向にずらす（近付ける、押し下げる）と、凸条４０７が端部２０６を乗り越えることで、片４０３が僅かに浮き上がりつつ、凸条４０７が溝２０４に嵌り込むと、ラック４０５，２０３を再び噛合させて、ロック状態とし、該Ｔ字分岐部材４０（４４，４６）の長手方向へのずれを阻止することができる。
【００５６】
図１０は前記十字分岐部材５０の斜視図であり、図１１は六面図である。図１１では、（ａ）が平面図、（ｂ）が正面図、（ｃ）が底面図、（ｄ）が左側面図、（ｅ）が右側面図、（ｆ）が背面図である。
【００５７】
この十字分岐部材５０は、前記仕切り板２０の厚み方向に見た（上方から見た）形状が十字状に形成される。図１の例では、十字分岐部材５１，５２は、仕切り板１１，１４に嵌め込まれて、その仕切り板１１，１４の途中から、別の仕切り板２１，２３；２４，２６を、共に分岐支持している。
【００５８】
十字分岐部材５０は、十字の中央の分岐部５０１から４方に延びる各部分５０２〜５０５の断面が、逆Ｕ字状に形成される。さらに、前記逆Ｕ字の各部分５０２〜５０５における一方の片５０６，５０７の内側面には、前記仕切り板２０のラック２０３および溝２０４に対応して、ラック５０８，５０９および凸条５１０，５１１がそれぞれ形成される。凸条５１０，５１１も、突起などの他の突部形状で形成されてもよい。
【００５９】
このような十字分岐部材５０のロックおよびその解除の手順は、上述の摩擦係合部材３０およびＴ字分岐部材４０と同様である。したがって、図１で示すように、仕切り板１１〜１４および摩擦係合部材３１〜３４に加えて、仕切り板２１〜２８ならびにＴ字分岐部材４１〜４８および十字分岐部材５１，５２を用いることで、収納箱本体１０内で仕切り板２０を縦横に組合わせられるようになり、所望とする仕切り空間を形成し易くなるとともに、Ｔ字分岐部材４０および十字分岐部材５０を用いることで、たとえば引き出しの開閉による衝撃などに対して、仕切り板２０のずれない強固な仕切り空間を形成することができる。
【００６０】
なお、空間内に収納される物品の邪魔にならなければ、Ｔ字分岐部材４０や十字分岐部材５０を、摩擦係合部材３０の代わりに、仕切り板２０の長さ調整や継ぎ足しに用いてもよい。
【００６１】
また、本実施形態では、図６で示すようなＴ字分岐部材４０の部分４０１，４０２および図１０で示すような十字分岐部材５０の各部分５０２〜５０５が、たとえば図１で示すように、収納箱本体１０の底面１１０に達するまで、仕切り板２０の分岐（交差）部分を覆っている。そして、その覆っている部分が、円弧状の曲線を描いて形成され、つまりＲを付けて曲線に形成されており、その曲線は、前記底面１１０に近い下方側の曲線Ｒ１の曲率が、上方側の曲線Ｒ２に比べて大きく（緩やかに）形成されている。
【００６２】
したがって、収納箱１に収納されている物品、特にペンなどの文房具を、前記分岐（交差）部分に押し当てると、迫り上がってゆくので、前記物品の取り出しが容易になる。
【００６３】
上述の例では、Ｔ字分岐部材４０は、仕切り板２０に取付くだけであったが、収納箱本体１０が引き出しなどで、側壁の厚みに仕切り板２０の厚みを合わせておくことで、側壁に取付かせることもできる。
【符号の説明】
【００６４】
１    収納箱
１０    収納箱本体
１０１  内壁面
１１０  底面
１１〜１４，２０，２１〜２８    仕切り板
２０１  溝
２０２  平坦部
２０３  ラック（第１のラック）
２０４  溝
３０，３１〜３４    摩擦係合部材
３０１  屈曲部
３０２，３０３    片
３０４  内側面
３０５  ラック（第２のラック）
３０６  凸条
４０，４１〜４８    Ｔ字分岐部材
４０１，４０２    部分
４０３，４０４    片
４０５，４０６    ラック（第３のラック）
４０７，４０８    凸条
５０，５１，５２    十字分岐部材
５０１  分岐部
５０２〜５０５    部分
５０６，５０７    片
５０８，５０９    ラック
５１０，５１１    凸条
【図１】
2015208368.tif 000003
【図２】
2015208368.tif 000004
【図３】
2015208368.tif 000005
【図４】
2015208368.tif 000006
【図５】
2015208368.tif 000007
【図６】
2015208368.tif 000008
【図７】
2015208368.tif 000009
【図８】
2015208368.tif 000010
【図９】
2015208368.tif 000011
【図１０】
2015208368.tif 000012
【図１１】
2015208368.tif 000013